【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
最も物体側に負の屈折力の第１レンズ群、最も像側にズーミングのためには不動の正の屈折力のレンズ群ＬＰ、該レンズ群ＬＰの物体側に隣接してズーミングの際に可動の負の屈折力のレンズ群ＬＮを有し、前記レンズ群ＬＰと前記レンズ群ＬＮの焦点距離を各々ｆｐ、ｆｎ、広角端と望遠端における全系の焦点距離を各々ｆｗ、ｆｔ、前記レンズ群ＬＮを構成する物体側から数えて第ｉ番目のレンズの焦点距離と材料のアッベ数を各々ｆｎｉ、νｄｎｉとするとき、
０．６６＜｜ｆｎ／√（ｆｗｆｔ）｜＜０．７８
１．８６≦│ｆｐ／ｆｎ│＜５．３
【数１】
2012027283.tif 000001
なる条件式を満たすことを特徴とするズームレンズ。
【請求項２】
前記レンズ群ＬＮは少なくとも１つの正レンズと少なくとも１つの負レンズを有し、
前記レンズ群ＬＮを構成するレンズのうち正の屈折力の最も強い正レンズの焦点距離をｆｎｐ、負の屈折力の最も強い負レンズの焦点距離をｆｎｎとするとき、
２．０＜｜ｆｎｐ／ｆｎｎ｜＜６．０
なる条件式を満たすことを特徴とする請求項１に記載のズームレンズ。
【請求項３】
前記第１レンズ群の焦点距離をｆ１とするとき、
１．２＜ｆ１／ｆｎ＜１．８
なる条件式を満たすことを特徴とする請求項１又は２に記載のズームレンズ。
【請求項４】
前記レンズ群ＬＰを構成するレンズ群のうち、正の屈折力の最も強い正レンズの物体側のレンズ面の曲率半径をＲｐ１、像側のレンズ面の曲率半径をＲｐ２とするとき、
−０．８５＜（Ｒｐ２−Ｒｐ１）／（Ｒｐ２＋Ｒｐ１）＜−０．３３
なる条件式を満たすことを特徴とする請求項１乃至３のいずれか１項に記載のズームレン
ズ。
【請求項５】
前記レンズ群ＬＮは少なくとも１つの正レンズと少なくとも１つの負レンズを有し、
前記レンズ群ＬＮを構成するレンズのうち、正の屈折力の最も強い正レンズの材料のアッベ数をνｎｐ、負の屈折力の最も強い負レンズの材料のアッベ数をνｎｎとするとき、
１．５＜νｎｎ／νｎｐ＜４．０
なる条件式を満たすことを特徴とする請求項１乃至４のいずれか１項に記載のズームレンズ。
【請求項６】
前記レンズ群ＬＮを構成する各レンズの材料のｄ線での屈折率の平均値をｎｄｎとするとき、
１．７＜ｎｄｎ＜２．２
なる条件式を満たすことを特徴とする請求項１乃至５のいずれか１項に記載のズームレンズ。
【請求項７】
前記ズームレンズは、物体側より像側へ順に、負の屈折力の第１レンズ群、正の屈折力の第２レンズ群、２以上のレンズ群を含む後群より構成されており、
前記後群は前記レンズ群ＬＮと前記レンズ群ＬＰを有しており、
ズーミングに際し、前記第１レンズ群と前記第２レンズ群は移動することを特徴とする請求項１乃至６のいずれか１項のズームレンズ。
【請求項８】
前記後群は物体側より像側へ順に、負の屈折力の第３レンズ群、正の屈折力の第４レンズ群から構成され、前記第３レンズ群は前記レンズ群ＬＮであり、前記第４レンズ群は前記レンズ群ＬＰであることを特徴とする請求項７のズームレンズ。
【請求項９】
前記後群は物体側から像側へ順に、正の屈折力の第３レンズ群、負の屈折力の第４レンズ群、正の屈折力の第５レンズ群から構成され、前記第４レンズ群は前記レンズ群ＬＮであり、前記第５レンズ群は前記レンズ群ＬＰであることを特徴とする請求項７のズームレンズ。
【請求項１０】
前記後群は物体側から像側へ順に、負の屈折力の第３レンズ群、負の屈折力の第４レンズ群、正の屈折力の第５レンズ群から構成され、前記第４レンズ群は前記レンズ群ＬＮであり、前記第５レンズ群は前記レンズ群ＬＰであることを特徴とする請求項７のズームレンズ。
【請求項１１】
請求項１乃至１０のいずれか１項のズームレンズと、該ズームレンズによって形成される像を受光する光電変換素子を有していることを特徴とする撮像装置。
【手続補正２】
【補正対象書類名】明細書
【補正対象項目名】０００３
【補正方法】変更
【補正の内容】
【０００３】
このようなズームレンズとして、最も物体側に負の屈折力のレンズ群を配置したネガティブリード型のズームレンズが知られている。ネガティブリード型のズームレンズとして、最も像側にズーミングの際に固定の正の屈折力のレンズ群、該レンズ群の物体側に隣接してズーミングの際に可動の負の屈折力のレンズ群を有するズームレンズが知られている（特許文献１、２）。特許文献１、２ではいずれも物体側より像側へ順に負、正、負、正の屈折力の第１〜第４レンズ群より成り、ズーミングに際して第１〜第３レンズ群を移動させたズームレンズを開示している。
【手続補正３】
【補正対象書類名】明細書
【補正対象項目名】０００９
【補正方法】変更
【補正の内容】
【０００９】
本発明のズームレンズは、最も物体側に負の屈折力の第１レンズ群、最も像側にズーミングのためには不動の正の屈折力のレンズ群ＬＰ、該レンズ群ＬＰの物体側に隣接してズーミングの際に可動の負の屈折力のレンズ群ＬＮを有し、前記レンズ群ＬＰと前記レンズ群ＬＮの焦点距離を各々ｆｐ、ｆｎ、広角端と望遠端における全系の焦点距離を各々ｆｗ、ｆｔ、前記レンズ群ＬＮを構成する物体側から数えて第ｉ番目のレンズの焦点距離と材料のアッベ数を各々ｆｎｉ、νｄｎｉとするとき、
０．６６＜｜ｆｎ／√（ｆｗｆｔ）｜＜０．７８
１．８６≦│ｆｐ／ｆｎ│＜５．３
【手続補正４】
【補正対象書類名】明細書
【補正対象項目名】００１８
【補正方法】変更
【補正の内容】
【００１８】
実施例３では正の屈折力の第３レンズ群Ｌ３、負の屈折力の第４レンズ群Ｌ４（レンズ群ＬＮ）、正の屈折力の第５レンズ群Ｌ５（レンズ群ＬＰ）から構成されている。ズーミングに際し第３、第４レンズ群Ｌ３、Ｌ４は移動する。
【手続補正５】
【補正対象書類名】明細書
【補正対象項目名】００２０
【補正方法】変更
【補正の内容】
【００２０】
各実施例において、レンズ群ＬＰとレンズ群ＬＮの焦点距離を各々ｆｐ、ｆｎとする。広角端と望遠端における全系の焦点距離を各々ｆｗ、ｆｔとする。レンズ群ＬＮを構成する物体側から数えて第ｉ番目のレンズの焦点距離と材料のアッベ数を各々ｆｎｉ、νｄｎｉとする。このとき、
０．６６＜｜ｆｎ／√（ｆｗｆｔ）｜＜０．７８  ・・・（１）
１．８６≦│ｆｐ／ｆｎ│＜５．３      ・・・（２）
【手続補正６】
【補正対象書類名】明細書
【補正対象項目名】００２９
【補正方法】変更
【補正の内容】
【００２９】
１．８６≦│ｆｐ／ｆｎ│＜５．０      ・・・（２ａ）
更に望ましくは条件式（３ａ）の如く設定するのが良い。
【手続補正７】
【補正対象書類名】明細書
【補正対象項目名】００３２
【補正方法】変更
【補正の内容】
【００３２】
各実施例において更に好ましくは次の諸条件のうち１以上を満足するのが良い。レンズ群ＬＮは少なくとも１つの正レンズと少なくとも１つの負レンズを有する。そしてレンズ群ＬＮを構成するレンズのうち正の屈折力の最も強い正レンズの焦点距離と材料のアッベ数を各々ｆｎｐ、νｎｐ、負の屈折力の最も強い負レンズの焦点距離を各々ｆｎｎ、νｎｎとする。第１レンズ群Ｌ１の焦点距離をｆ１とする。レンズ群ＬＰを構成するレンズ群のうち、正の屈折力の最も強い正レンズの物体側のレンズ面の曲率半径をＲｐ１、像側のレンズ面の曲率半径をＲｐ２とする。レンズ群ＬＮを構成する各レンズの材料のｄ線での屈折率の平均値をｎｄｎとする。
【手続補正８】
【補正対象書類名】明細書
【補正対象項目名】００４０
【補正方法】変更
【補正の内容】
【００４０】
１．７５＜ｎｄｎ＜２．１０    ・・・（８ａ）
尚、各実施例のズームレンズを撮像装置に用いたときには、広角端における歪曲収差を、電子的手段を用いて補正しても良い。本実施例においては、広角端において負の歪曲収差が生じているので、電子的手段で補正することで歪みの少ない、良好な画像が得られる。次に各実施例のズームレンズのレンズ構成について説明する。
【手続補正９】
【補正対象書類名】明細書
【補正対象項目名】００４５
【補正方法】変更
【補正の内容】
【００４５】
［実施例５］
図９を参照して、本発明の実施例５のズームレンズのレンズ構成について説明する。図９に示す実施例５は、実施例４とレンズ群の数、各レンズ群の屈折力が同じである。間隔ｄ１６は各ズーム位置において、少数点２桁としたため２．００となっているが実際は僅かながら変化している。開口絞りＳＰは第２レンズ群Ｌ２内に配置されており、ズーミングに際して第２レンズ群Ｌ２と一体的に移動する。フォーカスは第１レンズ群Ｌ１あるいは第４レンズ群Ｌ４で行う。レンズ全長の短縮化と像面への光束の光線入射角度を低減しつつ、倍率色収差を補正することに関しては実施例１、２と同様である。また、他の実施例と比較して第５レンズ群Ｌ５中の正レンズの形状を、物体側が平面形状の平凸形状に近づけている。平凸形状に近づけ過ぎると望遠端において正の歪曲が多く発生するために好ましくない。本実施例では望遠端において歪曲収差を補正するのが困難にならない範囲で、第５レンズ群Ｌ５中の正レンズを平凸形状に近づけている。本実施例において像面への光束の光線入射角度の最大値は２４．７°である。
【手続補正１０】
【補正対象書類名】明細書
【補正対象項目名】００４９
【補正方法】変更
【補正の内容】
【００４９】
であらわされるものとする。「ｅ−ｘ」は「×１０-x」を意味する。数値実施例１、３乃至５において最も像側の４つのレンズ面はフェースプレート等のガラス面である。ＢＦはバックフォーカスであり最終面（ガラス面）から像面までの距離である。表１は上述した条件式と各数値実施例の関係を示す。
【手続補正１１】
【補正対象書類名】明細書
【補正対象項目名】００５０
【補正方法】変更
【補正の内容】
【００５０】
数値実施例  １
単位 mm
面データ
面番号       r        d      nd         νd       有効径
1        -96.288    1.80   1.77250    49.6       22.25
2         14.859    4.34                         18.75
3*        21.917    2.46   2.01960    21.5       19.09
4         35.824  (可変)                         18.45
5*        19.378    3.63   1.59201    67.0       13.46
6        -37.041    0.10                         12.55
7         23.428    1.93   1.55332    71.7       11.14
8        -75.050    0.80   1.84666    23.9       10.21
9        100.131    2.19                          9.48
10(絞り)    ∞       2.00                          8.83
11*       -29.976    1.40   1.73077    40.5        8.30
12         14.572    0.00                          8.79
13         14.572    3.03   1.55332    71.7        8.79
14        -12.598  (可変)                          9.39
15        -26.629    2.36   1.80486    24.7       12.78
16*       -14.939    3.46                         13.47
17         -9.182    1.20   1.80400    46.6       13.39
18       -106.903  (可変)                         16.53
19        -88.093    3.20   1.88300    40.8       25.64
20        -28.441    0.10                         26.17
21          ∞       2.36   1.51680    64.2       30.00
22          ∞       1.10                         30.00
23          ∞       0.50   1.51680    64.2       30.00
24          ∞       0.50                         30.00
像面        ∞   
非球面データ
第3面
K = 0.00000e+000  A 4= 3.95173e-006  A 6= 1.86983e-008  A 8=-2.57862e-011
A10= 5.35818e-013  
第5面
K = 0.00000e+000  A 4=-3.60233e-005  A 6= 6.33323e-008  A 8=-3.15737e-009
A10= 2.19929e-011  
第11面
K = 0.00000e+000  A 4=-8.49559e-005  A 6=-8.88340e-008  A 8=-1.25196e-008
A10= 3.31415e-010  
第16面
K = 0.00000e+000  A 4=-1.48553e-005  A 6=-7.01648e-007  A 8= 1.21614e-008
A10=-1.83716e-010  
各種データ
ズーム比      2.39 
焦点距離      18.20    31.19    43.58
Fナンバー      3.15     4.44     5.76 
画角          34.62    23.65    17.40  
像高          12.57    13.66    13.66
レンズ全長    61.07    59.01    63.37
BF             0.50     0.50     0.50 
d 4           13.81     4.23     1.07  
d14            5.43     6.19     5.95    
d18            3.38    10.14    17.90   
入射瞳位置    13.50    10.93     9.83  
射出瞳位置   -23.91   -43.15   -82.63 
前側主点位置  18.14    19.83    30.56  
後側主点位置 -17.70   -30.69   -43.08   
ズームレンズ群データ
群  始面    焦点距離  レンズ構成長  前側主点位置  後側主点位置
1    1     -26.64         8.60        -0.55         -7.25
2    5      17.51        15.07         4.22         -9.28
3   15     -20.00         7.02         5.70          0.23
4   19      46.40         7.25         2.45         -2.29
単レンズデータ
レンズ  始面  焦点距離
1       1    -16.55
2       3     50.83
3       5     22.02
4       7     32.49
5       8    -50.56
6      11    -13.24
7      13     12.72
8      15     38.79
9      17    -12.56
10      19     46.40
11      21      0.00
12      23      0.00
【手続補正１２】
【補正対象書類名】明細書
【補正対象項目名】００５１
【補正方法】変更
【補正の内容】
【００５１】
数値実施例  ２
単位 mm
面データ
面番号       r        d      nd         νd       有効径
1        -99.788    1.14   1.77250    49.6       20.55
2         14.298    4.29                         17.74
3*        27.428    2.28   1.83917    23.9       18.04
4         86.749  (可変)                         17.70
5*        17.305    2.28   1.59201    67.0       11.28
6       -317.878    0.10                         10.61
7         10.898    2.66   1.48749    70.2        9.82
8       -225.930    0.76   1.84666    23.9        9.19
9         33.841    2.33                          8.82
10        -14.544    1.52   1.74330    49.3        8.23
11*        89.210    0.57                          8.30
12(絞り)    ∞       0.57                          8.40
13         20.674    3.04   1.48749    70.2        9.14
14        -11.176  (可変)                          9.83
15         -9.217    2.28   1.94595    18.0       12.87
16         -9.153    0.00                         14.31
17         -9.153    1.14   1.88300    40.8       14.31
18        -24.477  (可変)                         17.20
19       -107.212    2.28   1.69680    55.5       25.75
20        -37.044    1.00                         26.10
像面        ∞   
非球面データ
第3面
K = 0.00000e+000  A 4= 1.31943e-005  A 6= 7.55325e-008  A 8=-1.31819e-010
A10= 1.88226e-012  
第5面
K = 0.00000e+000  A 4= 6.38070e-005  A 6= 4.19393e-007  A 8= 2.02153e-010
A10= 1.94311e-011  
第11面
K = 0.00000e+000  A 4= 2.80499e-004  A 6= 1.87534e-006  A 8=-6.89355e-008
A10= 1.24876e-009  
各種データ
ズーム比      2.40 
焦点距離      18.20    31.06    43.61  
Fナンバー      3.30     4.59     5.88  
画角          34.04    23.74    17.39  
像高          12.29    13.66    13.66      
レンズ全長    58.72    55.70    59.03  
BF             1.00     1.00     1.00   
d 4           14.96     4.69     0.76  
d14           12.67    12.80    12.66      
d18            2.85     9.98    17.37     
入射瞳位置    14.11    11.80    10.66    
射出瞳位置   -19.96   -32.73   -49.68   
前側主点位置  16.50    14.26    16.75    
後側主点位置 -17.20   -30.06   -42.61   
ズームレンズ群データ
群  始面    焦点距離  レンズ構成長  前側主点位置  後側主点位置
1    1     -27.99         7.71        -1.71         -8.38
2    5      17.59        13.83         5.33         -8.31
3   15     -19.07         3.42        -1.37         -3.39
4   19      80.16         2.28         2.03          0.70
単レンズデータ
レンズ  始面  焦点距離
1       1    -16.12
2       3     46.97
3       5     27.79
4       7     21.41
5       8    -34.72
6      10    -16.72
7      13     15.36
8      15     76.06
9      17    -17.16
10      19     80.16
【手続補正１３】
【補正対象書類名】明細書
【補正対象項目名】００５２
【補正方法】変更
【補正の内容】
【００５２】
数値実施例  ３
単位 mm
面データ
面番号       r        d      nd         νd       有効径
1       -104.055    1.80   1.77250    49.6       22.10
2         14.434    4.34                         18.55
3*        22.517    2.46   2.01960    21.5       18.92
4         37.699  (可変)                         18.30
5*        19.542    3.63   1.59201    67.0       13.35
6        -36.742    0.10                         12.43
7         23.476    1.93   1.55332    71.7       11.06
8        -69.168    0.80   1.84666    23.9       10.15
9        108.759  (可変)                          9.60
10(絞り)    ∞       2.00                          8.97
11*       -30.284    1.40   1.73077    40.5        8.45
12         14.520    0.00                          8.87
13         14.622    3.03   1.55332    71.7        8.86
14        -12.579  (可変)                          9.45
15        -28.953    2.36   1.80486    24.7       12.75
16*       -15.406    3.46                         13.40
17         -9.066    1.20   1.80400    46.6       13.26
18        -96.285  (可変)                         16.33
19        -70.000    3.20   1.88300    40.8       24.77
20        -30.000    0.10                         25.61
21          ∞       2.36   1.51680    64.2       30.00
22          ∞       1.10                         30.00
23          ∞       0.50   1.51680    64.2       30.00
24          ∞       0.48                         30.00
像面        ∞   
非球面データ
第3面
K = 0.00000e+000  A 4= 6.50813e-006  A 6=-3.45539e-009  A 8= 2.01386e-010
A10= 3.32928e-013  
第5面
K = 0.00000e+000  A 4=-3.93427e-005  A 6= 1.54149e-007  A 8=-2.95910e-009
A10=-5.34047e-013  
第11面
K = 0.00000e+000  A 4=-8.13275e-005  A 6=-1.47658e-007  A 8=-1.23034e-008
A10= 3.30991e-010  
第16面
K = 0.00000e+000  A 4=-2.82144e-005  A 6=-5.96018e-007  A 8= 1.03961e-008
A10=-1.86056e-010  
各種データ
ズーム比      2.40 
焦点距離      18.20    31.21    43.61 
Fナンバー      3.15     4.44     5.76
画角          34.62    23.64    17.39 
像高          12.57    13.66    13.66  
レンズ全長    61.06    59.07    63.45 
BF             0.48     0.48     0.48 
d 4           13.81     4.32     1.21     
d 9            2.18     2.16     2.13     
d14            5.43     6.18     5.92     
d18            3.39    10.16    17.95     
入射瞳位置    13.36    10.84     9.76    
射出瞳位置   -22.48   -37.99   -64.26   
前側主点位置  17.14    16.73    24.00    
後側主点位置 -17.72   -30.73   -43.12  
ズームレンズ群データ
群  始面    焦点距離  レンズ構成長  前側主点位置  後側主点位置
1    1     -26.15         8.60        -0.56         -7.28
2    5      17.48         6.46         0.83         -3.22
3   10      89.74         6.43        12.06          8.20
4   15     -20.30         7.02         5.85          0.34
5   19      57.31         7.25         2.86         -1.86
単レンズデータ
レンズ  始面  焦点距離
1       1    -16.30
2       3     50.69
3       5     22.08
4       7     31.91
5       8    -49.83
6      11    -13.26
7      13     12.73
8      15     37.96
9      17    -12.52
10      19     57.31
11      21      0.00
12      23      0.00
【手続補正１４】
【補正対象書類名】明細書
【補正対象項目名】００５３
【補正方法】変更
【補正の内容】
【００５３】
数値実施例  ４
単位 mm
面データ
面番号       r        d      nd         νd       有効径
1        -93.313    1.80   1.77250    49.6       22.09
2         14.785    4.34                         18.62
3*        21.599    2.46   2.01960    21.5       18.96
4         34.169  (可変)                         18.30
5*        18.788    3.63   1.59201    67.0       13.60
6        -35.901    0.10                         12.73
7         23.208    1.93   1.55332    71.7       11.26
8        -90.367    0.80   1.84666    23.9       10.32
9         96.686    2.19                          9.63
10(絞り)    ∞       2.00                          8.94
11*       -29.399    1.40   1.73077    40.5        8.39
12         14.505    0.00                          8.85
13         14.638    3.03   1.55332    71.7        8.84
14        -10.885  (可変)                          9.38
15        -67.890    1.50   1.51633    64.2       10.40
16        217.261  (可変)                         10.94
17        -27.159    2.36   1.80486    24.7       12.50
18*       -15.000    3.46                         13.22
19         -9.147    1.20   1.80400    46.6       13.24
20       -109.089  (可変)                         16.38
21        -88.284    3.20   1.88300    40.8       25.58
22        -28.458    0.10                         26.13
23          ∞       2.36   1.51680    64.2       30.00
24          ∞       1.10                         30.00
25          ∞       0.50   1.51680    64.2       30.00
26          ∞       0.57                         30.00
像面        ∞   
非球面データ
第3面
K = 0.00000e+000  A 4= 3.93995e-006  A 6= 5.19865e-009  A 8=-5.76208e-011
A10= 1.30768e-012  
第5面
K = 0.00000e+000  A 4=-3.90943e-005  A 6= 5.14878e-008  A 8=-3.27170e-009
A10= 2.02039e-011  
第11面
K = 0.00000e+000  A 4=-1.33975e-004  A 6=-2.84731e-007  A 8=-1.25955e-008
A10= 3.31385e-010  
第18面
K = 0.00000e+000  A 4=-2.77017e-005  A 6=-6.65061e-007  A 8= 1.21342e-008
A10=-1.84742e-010  
各種データ
ズーム比      2.40 
焦点距離      18.20    31.44    43.61  
Fナンバー      3.13     4.43     5.76  
画角          34.63    23.48    17.39    
像高          12.57    13.66    13.66      
レンズ全長    61.15    59.19    63.96    
BF             0.57     0.57     0.57     
d 4           13.81     4.33     1.60     
d14            1.93     2.69     2.45     
d16            2.00     2.00     1.99     
d20            3.39    10.15    17.91     
入射瞳位置    13.38    10.91    10.00    
射出瞳位置   -23.30   -42.06   -80.45   
前側主点位置  17.70    19.16    30.13    
後側主点位置 -17.63   -30.87   -43.04   
ズームレンズ群データ
群  始面    焦点距離  レンズ構成長  前側主点位置  後側主点位置
1    1     -25.71         8.60        -0.39         -7.05
2    5      16.30        15.07         5.12         -8.95
3   15    -100.00         1.50         0.24         -0.75
4   17     -20.00         7.02         5.76          0.27
5   21      46.40         7.25         2.44         -2.30
単レンズデータ
レンズ  始面  焦点距離
1       1    -16.40
2       3     52.41
3       5     21.36
4       7     33.58
5       8    -55.06
6      11    -13.11
7      13     11.78
8      15   -100.00
9      17     38.31
10      19    -12.49
11      21     46.40
12      23      0.00
13      25      0.00
【手続補正１５】
【補正対象書類名】明細書
【補正対象項目名】００５４
【補正方法】変更
【補正の内容】
【００５４】
数値実施例  ５
単位 mm
面データ
面番号       r        d      nd         νd       有効径
1        -94.621    1.80   1.77250    49.6       22.30
2         15.060    4.34                         18.83
3*        21.162    2.46   2.01960    21.5       19.16
4         33.575  (可変)                         18.49
5*        19.374    3.63   1.59201    67.0       13.53
6        -35.255    0.10                         12.64
7         23.400    1.93   1.55332    71.7       11.16
8        -58.814    0.80   1.80518    25.4       10.26
9         97.707    2.19                          9.47
10(絞り)    ∞       2.00                          8.77
11*       -29.238    1.40   1.73077    40.5        8.24
12         14.838    0.00                          8.78
13         14.532    3.03   1.55332    71.7        8.80
14        -11.027  (可変)                          9.35
15        -62.514    1.50   1.51633    64.2       10.39
16        299.115  (可変)                         10.95
17        -28.651    2.36   1.80518    25.4       12.58
18*       -14.939    3.46                         13.27
19         -8.874    1.20   1.80400    46.6       13.24
20       -105.647  (可変)                         16.60
21       -200.000    3.60   1.88300    40.8       26.88
22        -28.459    0.10                         27.18
23          ∞       2.36   1.51680    64.2       30.00
24          ∞       1.10                         30.00
25          ∞       0.50   1.51680    64.2       30.00
26          ∞       0.47                         30.00
像面        ∞   
非球面データ
第3面
K = 0.00000e+000  A 4= 2.85163e-006  A 6= 2.51995e-008  A 8=-1.23319e-010
A10= 5.11219e-013  
第5面
K = 0.00000e+000  A 4=-3.51899e-005  A 6=-6.64966e-008  A 8=-2.63782e-009
A10= 3.67039e-011  
第11面
K = 0.00000e+000  A 4=-1.32250e-004  A 6=-3.53172e-007  A 8=-1.27746e-008
A10= 3.31549e-010  
第18面
K = 0.00000e+000  A 4=-2.39659e-005  A 6=-6.93775e-007  A 8= 1.20559e-008
A10=-1.88442e-010  
各種データ
ズーム比      2.40 
焦点距離      18.20    31.45    43.61    23.84    37.73  
Fナンバー      3.13     4.42     5.76     3.63     5.09  
画角          36.89    23.48    17.39    29.81    19.90  
像高          13.66    13.66    13.66    13.66    13.66  
レンズ全長    61.45    59.14    63.82    58.26    61.05  
BF             0.47     0.47     0.47     0.47     0.47  
d 4           13.81     3.99     1.15     7.62     2.15  
d14            1.93     2.69     2.45     2.68     2.66  
d16            2.00     2.00     2.00     2.00     2.00  
d20            3.38    10.14    17.89     5.64    13.93  
入射瞳位置    13.61    10.93     9.93    12.04    10.29  
射出瞳位置   -25.54   -51.39  -129.61   -32.66   -77.65  
前側主点位置  19.07    23.31    38.92    18.73    29.80  
後側主点位置 -17.73   -30.98   -43.14   -23.37   -37.27  
ズームレンズ群データ
群  始面    焦点距離  レンズ構成長  前側主点位置  後側主点位置
1    1     -26.85         8.60        -0.49         -7.16
2    5      16.47        15.07         5.21         -8.85
3   15    -100.00         1.50         0.17         -0.82
4   17     -20.00         7.02         5.96          0.42
5   21      37.21         7.66         2.21         -2.77
単レンズデータ
レンズ  始面  焦点距離
1       1    -16.70
2       3     51.03
3       5     21.65
4       7     30.51
5       8    -45.49
6      11    -13.29
7      13     11.83
8      15   -100.00
9      17     36.00
10      19    -12.12
11      21     37.21
12      23      0.00
13      25      0.00